(57)【要約】  表示パネル（１）と、スタンド（２）と、を有する表示装置（１０）であって、前記スタンド（２）に設けられ、前記表示パネル（１）を少なくとも下方から支持する金属製の支持部材（５）と、前記支持部材（５）から延び、その一端が前記表示パネル（１）に連結される金属ケーブル（６）と、前記金属ケーブル（６）の他端が挿入される穴部を有し、周面に該金属ケーブル（６）を巻き回すように形成され、前記支持部材（５）に螺着される第１ネジ部材（７）と、を有する。
2012140773.tif 000002
【特許請求の範囲】
【請求項１】
表示パネルと、スタンドと、を有する表示装置であって、
前記スタンドに設けられ、前記表示パネルを少なくとも下方から支持する金属製の支持部材と、
前記支持部材から延び、その一端が前記表示パネルに連結される金属ケーブルと、
前記金属ケーブルの他端が挿入される穴部を有し、周面に該金属ケーブルを巻き回すように形成され、前記支持部材に螺着される第１ネジ部材と、を有することを特徴とする表示装置。
【請求項２】
前記金属ケーブルの一端は、第２ネジ部材を介して前記表示パネルに連結されることを特徴とする請求項１に記載の表示装置。
【請求項３】
前記金属ケーブルの一端は、金属フック部材を介して前記表示パネルに連結されることを特徴とする請求項１に記載の表示装置。
【請求項４】
前記金属ケーブルは、前記表示パネルを厚さ方向から挟むように装着されるカバー部材内に収容されることを特徴とする請求項１〜３のいずれか一項に記載の表示装置。
【発明の詳細な説明】
【技術分野】
【０００１】
本発明は、ＬＣＤ等を用いた表示装置に関するものである。
【背景技術】
【０００２】
薄型のＬＣＤ等からなる表示パネルと、該表示パネルを支持するスタンドと、を有する表示装置が知られている（例えば、下記特許文献１〜３を参照）。この種の表示装置において、表示パネルをプラスチック（樹脂材料）のみを介してスタンドに支持させる構造とした場合、プラスチックに付着した油脂成分によってケミカルアタックが発生することがある。この場合、表示パネルの保持構造を維持できなくなり、該表示パネル若しくはこの表示パネルを収容するカバー部材（筐体）を含む表示ユニット全体がスタンドから落下し、損傷するおそれがある。
そのため、従来の表示装置では、表示パネルを金属シャーシ等を介してスタンドに支持させる構造が採用されている。
【先行技術文献】
【特許文献】
【０００３】
【特許文献１】実用新案登録第３１４６６７４号公報
【特許文献２】特開２００６−３１３２２０号公報
【特許文献３】特開２０１１−０２７８７１号公報
【発明の概要】
【発明が解決しようとする課題】
【０００４】
しかしながら、従来の表示装置においては、金属シャーシ等を介して表示パネルをスタンドに支持させているため、表示装置の厚さが嵩み、さらなる薄型化（小型化）が困難であった。
また、この種の表示装置に対しては、製造費用のさらなる削減が求められている。【０００５】
本発明は、このような事情に鑑みてなされたものであって、表示パネルをスタンドに安定して支持させつつ、さらなる薄型化が可能であり、かつ、製造費用を削減できる表示装置を提供することを目的としている。
【課題を解決するための手段】
【０００６】
上記目的を達成するために、本発明は以下の手段を提案している。
本発明は、表示パネルと、スタンドと、を有する表示装置であって、前記スタンドに設けられ、前記表示パネルを少なくとも下方から支持する金属製の支持部材と、前記支持部材から延び、その一端が前記表示パネルに連結される金属ケーブルと、前記金属ケーブルの他端が挿入される穴部を有し、周面に該金属ケーブルを巻き回すように形成され、前記支持部材に螺着される第１ネジ部材と、を有することを特徴とする。
【発明の効果】
【０００７】
本発明の表示装置によれば、表示パネルをスタンドに安定して支持させつつ、さらなる薄型化が可能であり、かつ、製造費用を削減できる。
【図面の簡単な説明】
【０００８】
【図１】本発明の第１実施形態に係る表示装置の要部の構造を説明する（ａ）側面図、（ｂ）背面図である。
【図２】図１の表示装置において（ａ）カバー部材を取り付ける前の状態（又は取り外した状態）を示す側面図、（ｂ）カバー部材を取り付けた状態を示す側面図である。
【図３】図１の表示装置において金属ケーブルの一端を表示パネルに連結する第２ネジ部材を、（ａ）軸方向に垂直な方向から見た図、（ｂ）軸方向からネジ頭部を正面に見た図である。
【図４】図１の表示装置において金属ケーブルの他端を支持部材に連結する第１ネジ部材を、（ａ）軸方向に垂直な方向から見た図、（ｂ）軸方向からネジ頭部を正面に見た図である。
【図５】図１の表示装置の金属ケーブルを示す図である。
【図６】図１の表示装置において第１、第２ネジ部材同士の間に金属ケーブルを装着する手順を説明する図である。
【図７】図１の表示装置の支持部材を示す（ａ）側面図、（ｂ）上面図、（ｃ）背面図である。
【図８】本発明の第２実施形態に係る表示装置の要部の構造を説明する（ａ）側面図、（ｂ）背面図である。
【図９】図８の表示装置の正面図である。
【図１０】図８の表示装置において（ａ）カバー部材を取り付ける前の状態（又は取り外した状態）を示す側面図、（ｂ）カバー部材を取り付けた状態を示す側面図である。
【図１１】図８の表示装置の金属フック部材を示す斜視図である。
【図１２】図８の表示装置において第１ネジ部材と金属フック部材との間に金属ケーブルを装着する手順を説明する図である。
【発明を実施するための形態】
【０００９】
（第１実施形態）
以下、本発明の第１実施形態に係る表示装置１０について、図１〜図７を参照して説明する。
本実施形態の表示装置１０は、薄型のモニター、ディスプレイ、テレビ等であり、図１及び図２に示されるように、薄型のＬＣＤ等からなる表示パネル１と、該表示パネル１を支持するスタンド２と、を有している。表示パネル１は、矩形板状をなしており、その厚さ方向を向く両外面のうち一面（図１（ａ）において右側を向く面）１ａに、文字、図形、静止画及び動画等の画像を表示する。本実施形態では、表示パネル１の厚さ方向は、水平方向に沿うように配置され、前記一面１ａは、厚さ方向に垂直な水平方向に長く、厚さ方向に垂直な鉛直方向に短い矩形状となっている（図９を参照）。
以下の説明においては、表示パネル１の厚さ方向に垂直な水平方向を幅方向といい、表示パネル１の厚さ方向に垂直な鉛直方向を高さ方向という。また、表示パネル１の厚さ方向のうち、一面１ａが向く方向を前方、一面１ａとは反対側を向く方向を後方という。
【００１０】
図１（ａ）（ｂ）において、表示パネル１の幅方向の両端に位置して幅方向を向く一対の側面には、雌ネジ穴が形成されている。これら雌ネジ穴は、表示パネル１の側面における上端部に配置され、後述する第２ネジ部材２３を螺合可能に形成されている。
また、スタンド２は、表示装置１０を設置する床や台等に載置される台座部３と、台座部３に支持され、上方に向けて延びる軸部４と、を有している。
【００１１】
そして、表示装置１０は、スタンド２に設けられ、表示パネル１を少なくとも下方から支持する金属製の支持部材５と、支持部材５から延び、その一端が表示パネル１に連結される金属ケーブル６と、金属ケーブル６の他端が挿入される穴部８を有し、周面９に該金属ケーブル６を巻き回すように形成され、支持部材５に螺着される第１ネジ部材７と、を有している。また、この表示装置１０は、金属ケーブル６の一端が挿入される穴部２４を有し、周面２５に該金属ケーブル６を巻き回すように形成され、表示パネル１の雌ネジ穴に螺着される第２ネジ部材２３を有している。
【００１２】
図１及び図７に示されるように、支持部材５は、縦断面がＣ字状をなす板状体１１と、雌ネジ穴が形成され、板状体１１に配設される複数のネジ受け部１２と、を有している。
【００１３】
図１（ａ）（ｂ）において、板状体１１は、スタンド２の軸部４の上側部分に装着され、幅方向（図１（ｂ）における左右方向）及び高さ方向（図１（ｂ）における上下方向）に拡がるように形成された矩形板状の本体部１３と、本体部１３の上端部から前方（図１（ａ）における右側）に向けて立設された天壁部１４と、天壁部１４における本体部１３とは反対側の端部から下方へ向けて折り返されるように形成された前上部１５と、を有している。また、板状体１１は、本体部１３の下端部から前方に向けて立設された底壁部１６と、底壁部１６における本体部１３とは反対側の端部から上方へ向けて折り返されるように形成された前下部１７と、を有している。
【００１４】
底壁部１６が本体部１３から前方に向けて突出する突出量は、天壁部１４が本体部１３から前方に向けて突出する突出量より大きくなっている。底壁部１６の上面は、表示パネル１の下面に当接しており、これにより、底壁部１６は表示パネル１を下方から支持している。また、前下部１７の本体部１３側を向く面（後方を向く面）は、表示パネル１の一面１ａの外枠２０（図９を参照）に当接しており、これにより、前下部１７は表示パネル１を前方から支持している。
【００１５】
図７（ａ）（ｂ）（ｃ）において、本体部１３の幅方向（図７（ｃ）における左右方向）及び高さ方向（図７（ｃ）における上下方向）の中央には、該本体部１３を厚さ方向（図７（ａ）における左右方向）に貫通する孔が形成されており、該孔に対応するように、複数のネジ受け部１２のうち、支持部材５をスタンド２に装着するためのスタンドネジ受け部１２Ａが配設されている。また、本体部１３におけるスタンドネジ受け部１２Ａより上方には、幅方向に互いに離間して配置され、該本体部１３を厚さ方向に貫通する一対の孔が形成されており、これら孔に対応するように、複数のネジ受け部１２のうち、金属ケーブル６を支持部材５に連結するためのケーブルネジ受け部１２Ｂが一対配設されている。スタンドネジ受け部１２Ａの雌ネジ穴には、後述するスタンドネジ１９が着脱可能にねじ込まれる。また、ケーブルネジ受け部１２Ｂの雌ネジ穴には、第１ネジ部材７が着脱可能にねじ込まれる。
【００１６】
図１（ａ）において、これらネジ受け部１２は、本体部１３の表示パネル１側（図１（ａ）における右側）を向く面（前方を向く面）に配設されている。また、ネジ受け部１２の雌ネジ穴は、本体部１３の孔を通して、後方（図１（ａ）における左側）に向けて開口している。ネジ受け部１２において前方を向く端面、及び、前上部１５において前方を向く面は、厚さ方向に沿う位置が互いに略同一とされているとともに、表示パネル１の本体部１３側（図１（ａ）における左側）を向く他面に当接しており、これにより、ネジ受け部１２及び前上部１５は表示パネル１を後方から支持している。
【００１７】
また、スタンド２の軸部４の上端部には、厚さ方向に貫通する孔が形成されており、該孔を通して、スタンドネジ１９がスタンドネジ受け部１２Ａにねじ込まれる。また、本体部１３の表示パネル１とは反対側を向く面（後方を向く面）は、軸部４の上端部において表示パネル１側を向く面（前方を向く面）に当接している。スタンドネジ１９が、軸部４の孔を通してスタンドネジ受け部１２Ａに螺合することにより、スタンド２の上部に支持部材５が固定される。
【００１８】
図７（ｃ）において、本体部１３の上端部における幅方向の両端には、ケーブル案内溝１８が一対形成されている。これらケーブル案内溝１８は、本体部１３においてケーブルネジ受け部１２Ｂに対応する位置から上方に向かうに従い漸次幅方向に互いに離間するように延びている。また、ケーブル案内溝１８は、ケーブルネジ受け部１２Ｂから離間するに従い漸次その幅が増大するように形成されている。
【００１９】
図５において、金属ケーブル６の直径（太さ）は、表示パネル１の厚さ、重量及び要求される固定強度等に応じて適宜設定され得るが、少なくとも０．５ｍｍ以上であることが好ましい。また、金属ケーブル６の長さＬは、表示パネル１の大きさ等により異なるが、例えば次式により算出される。
Ｌ＝Ｌ１＋３．５ｄ１＋３．５ｄ２
上式において、Ｌ１：第１ネジ部材７の穴部８と第２ネジ部材２３の穴部２４との距離（ネジ穴間距離）、ｄ１：第１ネジ部材７の金属ケーブル６を巻き回す周面９部分における直径（図４を参照）、ｄ２：第２ネジ部材２３の金属ケーブル６を巻き回す周面２５部分における直径（図３を参照）、を示している。尚、上式においてｄ１、ｄ２に乗じる「３．５」はあくまで参考値であり、これに限定されるものではなく、固定強度を考慮した上で、第１、第２ネジ部材７、２３を対応する雌ネジ穴に完全に締め込む（前進端位置まで締め込む）までの有効巻数に合わせて、適宜設定可能である。
【００２０】
図４（ａ）（ｂ）において、第１ネジ部材７は、軸状をなし、周面９に雄ネジ加工が施されたネジ部２１と、該ネジ部２１より大径のネジ頭部２２と、を有している。ネジ部２１におけるネジ頭部２２側の端部には、該ネジ部２１を径方向に貫通する穴部８が形成されている。穴部８の内径は、金属ケーブル６の直径より僅かに大きくなっており、本実施形態では金属ケーブル６の直径＋０．１ｍｍ程度に設定されている。第１ネジ部材７は、穴部８に金属ケーブル６の端部を挿通した状態で支持部材５のケーブルネジ受け部１２Ｂにねじ込まれ、これにより、第１ネジ部材７において穴部８が開口する周面９には、金属ケーブル６が巻き回されるようになっている。
【００２１】
図３（ａ）（ｂ）において、第２ネジ部材２３は、軸状をなし、周面に雄ネジ加工が施されたネジ部２６と、該ネジ部２６より大径のネジ頭部２７と、を有している。ネジ部２６におけるネジ頭部２７側の端部には、該ネジ部２６を径方向に貫通する穴部２４が形成されている。穴部２４の内径は、金属ケーブル６の直径より僅かに大きくなっており、本実施形態では金属ケーブル６の直径＋０．１ｍｍ程度に設定されている。また、ネジ部２６のネジ頭部２７側の端部における穴部２４を挟んだネジ頭部２７とは反対側には、ネジ頭部２７と略同径のフランジ部２８が形成されている。第２ネジ部材２３は、穴部２４に金属ケーブル６の端部を挿通した状態で表示パネル１の雌ネジ穴にねじ込まれ、これにより、第２ネジ部材２３において穴部２４が開口する周面２５（ネジ部２６の周面のうち、ネジ頭部２７とフランジ部２８との間に位置する部分）には、金属ケーブル６が巻き回されるようになっている。このように、金属ケーブル６の一端は、第２ネジ部材２３を介して表示パネル１に連結される。
【００２２】
図６は、第１、第２ネジ部材７、２３に金属ケーブル６を装着する手順を示している。図６（ａ）において、第１ネジ部材７は、支持部材５のケーブルネジ受け部１２Ｂにネジ部２１の先端がねじ込まれた状態であり、第２ネジ部材２３は、表示パネル１の雌ネジ穴にネジ部２６の先端がねじ込まれた状態である。この状態から、図６（ｂ）に示すように、金属ケーブル６の一端（図６（ｂ）における上端）を第２ネジ部材２３の穴部２４に挿入し、他端（図６（ｂ）における下端）を第１ネジ部材７の穴部８に挿入する。
【００２３】
次いで、図６（ｃ）（ｄ）に示されるように、第２ネジ部材２３を締め込んでいくとともに、ネジ部２６の周面２５に金属ケーブル６を巻き回していく。また、第１ネジ部材７を締め込んでいくとともに、ネジ部２１の周面９に金属ケーブル６を巻き回していく。尚、第１、第２ネジ部材７、２３を締め込む順序は限定されないが、第１ネジ部材７より上方に位置する第２ネジ部材２３から締め込むと作業性がよい。これら第１、第２ネジ部材７、２３の締め込み量は、金属ケーブル６が弛まないように、該金属ケーブル６の張り具合を確認しつつ調整する。
【００２４】
このように金属ケーブル６が第１、第２ネジ部材７、２３間に張設された状態で、図１（ｂ）に示されるように、一対の金属ケーブル６は、支持部材５から上方に向かうに従い漸次表示パネル１の幅方向の外側に向かって（つまり斜め上方に向かって）、互いに幅方向に離間するように延びている。これら金属ケーブル６によって、表示パネル１は、支持部材５に対する幅方向への移動及び上方へ向けた移動が規制されている。また、金属ケーブル６において第１ネジ部材７側に位置する他端部は、支持部材５のケーブル案内溝１８内に配置されている。
【００２５】
前述した構成により、表示パネル１は、支持部材５に対する厚さ方向、幅方向及び高さ方向への移動が規制されている。尚、支持部材５は、表示パネル１を少なくとも下方から支持するように構成されていればよく、具体的に、支持部材５に対する表示パネル１の厚さ方向への移動の規制については、例えば、該支持部材５と表示パネル１との間に別部材を介在させて行うこととしてもよい。
【００２６】
また、図２（ａ）（ｂ）に示されるように、この表示装置１０は、表示パネル１を厚さ方向から挟むように装着されるカバー部材２９を有している。カバー部材２９は、表示パネル１に対して厚さ方向の前方から装着されるフロントベゼル３０と、表示パネル１に対して厚さ方向の後方から装着されるリアカバー３１と、を有している。図２（ｂ）において、表示パネル１にカバー部材２９が装着された状態で、金属ケーブル６、支持部材５、第１ネジ部材７及び第２ネジ部材２３は、カバー部材２９内に収容されている。
【００２７】
以上説明したように、本実施形態の表示装置１０によれば、金属製の支持部材５が表示パネル１を少なくとも下方から支持し、かつ、金属ケーブル６が支持部材５と表示パネル１とを連結しているので、下記の効果を奏する。
【００２８】
すなわち、表示パネル１が支持部材５上に安定して支持されつつ、金属ケーブル６により表示パネル１と支持部材５との相対的な移動が規制される。これにより、表示パネル１と支持部材５とが互いに固定され、該表示パネル１が長期に亘り安定してスタンド２に支持されて、該表示パネル１若しくはこの表示パネル１を収容するカバー部材２９を含む表示ユニット全体がスタンド２から落下するようなことが防止される。
【００２９】
また、金属ケーブル６と支持部材５とを連結する第１ネジ部材７が、金属ケーブル６の他端を穴部８に挿入した状態で、周面９に該金属ケーブル６を巻き回すように支持部材５に螺着されるので、金属ケーブル６に容易かつ確実にテンションをかけることができる。これにより、金属ケーブル６が弛んだ状態のまま表示パネル１と支持部材５とを連結するようなことが防止されて、前述した金属ケーブル６による作用効果を確実に得ることができる。
【００３０】
具体的に、第１ネジ部材７の周面９に金属ケーブル６を巻き回す量を調整することにより、表示パネル１と支持部材５との固定強度を調整でき、表示パネル１と支持部材５との相対移動が確実に規制される。尚、前記巻き回す量を調整する代わりに、第１ネジ部材７の穴部８に金属ケーブル６の他端を挿入する長さ（挿入量）を調整した後、所定の巻き回し量だけ第１ネジ部材７を締め込むことにより、表示パネル１と支持部材５との固定強度を調整することとしても構わない。
【００３１】
そして、従来用いていた金属シャーシ等とは異なり、本実施形態の構成によれば、表示装置１０が嵩張らない（特に厚さ方向の外形が縮小される）ので、表示装置１０のさらなる薄型化を容易に実現することができる。また、第２ネジ部材２３が表示パネル１から幅方向に突出する寸法もネジ頭部２７部分の長さ程度であるから、表示装置１０を十分に小型化できる。
また、従来用いていた金属シャーシ等に比べて、本実施形態の構成によれば、製造費用を削減できる。
【００３２】
また、本実施形態では、金属ケーブル６と表示パネル１とを連結する第２ネジ部材２３が、金属ケーブル６の一端を穴部２４に挿入した状態で、周面２５に該金属ケーブル６を巻き回すように表示パネル１に螺着されるので、前述した第１ネジ部材７同様に、金属ケーブル６に容易かつ確実にテンションをかけることができる。つまり、本実施形態によれば、金属ケーブル６の張り具合を調整する複数の調整手段（第１ネジ部材７及び第２ネジ部材２３）を有しているので、前述した金属ケーブル６による作用効果をより確実に得ることができるのである。
尚、第２ネジ部材２３は、表示パネル１に予め設けられた雌ネジ穴を利用して、該雌ネジ穴に螺合されることから、該第２ネジ部材２３を表示パネル１に装着するための部材等は特に必要なく、構造が簡単である。
【００３３】
また、金属ケーブル６が、表示パネル１を被覆するカバー部材２９内に収容されているので、表示装置１０の外観上の美観が確保され、かつ、搬送時に金属ケーブル６が何かに引っ掛かるようなこともない。
【００３４】
また、カバー部材２９（フロントベゼル３０、リアカバー３１）が油等に腐食され、万一破壊に至るようなことがあっても、表示パネル１は、前述のように支持部材５及び金属ケーブル６により安定して支持されているため、スタンド２から落下することはない。つまり、比較的重量のある表示パネル１がスタンド２から落下するようなことが防止されるので、この表示装置１０は、安全性が十分に高められている。
【００３５】
（第２実施形態）
次に、本発明の第２実施形態に係る表示装置４０について、図８〜図１２を参照して説明する。尚、前述の実施形態と同一部材には同一の符号を付し、その説明を省略する。
【００３６】
図８（ａ）（ｂ）に示されるように、本実施形態の表示装置４０は、前述の表示装置１０で説明した第２ネジ部材２３の代わりに、金属フック部材４１を有している。金属フック部材４１は、表示パネル１の上端部における幅方向の両端に一対配設されている。そして、金属ケーブル６の一端は、金属フック部材４１を介して表示パネル１に連結される。
【００３７】
図１１（ａ）（ｂ）に示されるように、金属フック部材４１は、金属ケーブル６が連結される後板４２と、後板４２に厚さ方向に間隔をあけて対向配置される前板４３と、後板４２及び前板４３を繋ぐ周壁板４４と、を有している。金属フック部材４１の板厚は、要求される強度等に応じて適宜設定され得るが、０．２ｍｍ〜３ｍｍであることが好ましい。
【００３８】
後板４２は、平らなＬ字板状をなす後板本体４２ａと、後板本体４２ａの屈曲部分から延びる腕部４２ｂと、を有している。腕部４２ｂには、厚さ方向に貫通する連結孔４２ｃが形成されており、該連結孔４２ｃには金属ケーブル６の一端が連結される。具体的に、連結孔４２ｃには、金属ケーブル６の一端が挿入されるとともに折り返され、金属ケーブル６は溶接等により腕部４２ｂに固定されている。尚、金属ケーブル６は、溶接以外のプレス加工等により腕部４２ｂに固定されていてもよい。
【００３９】
前板４３は、平らなＬ字板状をなし、後板４２の後板本体４２ａと略同一の外形となっている。
周壁板４４は、略直角に折り曲げられたＬ字板状をなしており、後板４２において幅方向の外側に位置する端部と、前板４３において幅方向の外側に位置する端部とを繋ぎ、かつ、後板４２の上端部と前板４３の上端部とを繋いでいる。
【００４０】
図１１（ｂ）において、金属フック部材４１の厚さ方向の外形寸法Ｌ２は、表示パネル１の厚さ寸法、後板４２の厚さ寸法及び前板４３の厚さ寸法の和＋０．１ｍｍ程度に設定されている。また、前板４３のうち幅方向の外側に配置され、高さ方向に沿って延びる帯板状部分の幅寸法Ｌ３は、対応するフロントベゼル３０の枠縁から−０．２ｍｍ程度後退するように（表示パネル１の一面１ａのパネルスクリーンに重ならない程度に）設定されている。また、金属フック部材４１の幅方向の外形寸法Ｌ４は、前記Ｌ３の３．５倍程度に設定されている。また特に図示しないが、金属フック部材４１の高さ方向の外形寸法は、前記Ｌ４と同一に設定されている。また、前板４３のうち上端部に配置され、幅方向に沿って延びる帯板状部分の高さ寸法Ｌ５は、対応するフロントベゼル３０の枠縁から−０．２ｍｍ程度後退するように（表示パネル１の一面１ａのパネルスクリーンに重ならない程度に）設定されている。
【００４１】
図１２は、金属フック部材４１に一体とされた金属ケーブル６を第１ネジ部材７に装着する手順を示している。尚、図１２（ａ）（ｂ）（ｃ）においては、金属フック部材４１の図示を省略している。図１２（ａ）において、第１ネジ部材７は、支持部材５のケーブルネジ受け部１２Ｂにネジ部２１の先端がねじ込まれた状態である。一方、金属フック部材４１は、後板４２に予め溶接やプレス加工等により金属ケーブル６の一端が固定された状態で、表示パネル１の上端部における幅方向の外側に配設されている（図８（ｂ）を参照）。この状態において、金属フック部材４１の周壁板４４の内面（幅方向の内側を向く面、及び、下方を向く面）は、表示パネル１の側面及び上面に当接している。また、金属フック部材４１の後板４２の内面（前方を向く面）は、表示パネル１の他面（後方を向く面）に当接している。また、金属フック部材４１の前板４３の内面（後方を向く面）は、表示パネル１の一面１ａに当接している。この状態から、図１２（ｂ）に示すように、金属ケーブル６の他端（図１２（ｂ）における下端）を第１ネジ部材７の穴部８に挿入する。
【００４２】
次いで、図１２（ｃ）（ｄ）に示されるように、第１ネジ部材７を締め込んでいくとともに、ネジ部２１の周面９に金属ケーブル６を巻き回していく。第１ネジ部材７の締め込み量は、金属ケーブル６が弛まないように、該金属ケーブル６の張り具合を確認しつつ調整する。
【００４３】
このように金属ケーブル６が金属フック部材４１と第１ネジ部材７との間に張設された状態で、図８（ｂ）に示されるように、一対の金属ケーブル６は、支持部材５から上方に向かうに従い漸次表示パネル１の幅方向の外側に向かって、互いに幅方向に離間するように延びている。
【００４４】
また、図１０（ｂ）において、表示パネル１にカバー部材２９が装着された状態で、金属ケーブル６、金属フック部材４１、支持部材５及び第１ネジ部材７は、カバー部材２９内に収容されている。
【００４５】
本実施形態の表示装置４０によれば、前述の実施形態で説明した表示装置１０と同様の効果を奏する。そして、本実施形態では、表示パネル１に雌ネジ穴が設けられていない場合であっても、金属フック部材４１を該表示パネル１に簡単に装着することにより、前述した金属ケーブル６による作用効果を確実に得ることができる。
【００４６】
さらに、金属フック部材４１を用いた場合、該金属フック部材４１が表示パネル１から厚さ方向に突出する寸法は板厚程度であり、表示装置４０が嵩張らないので、表示装置４０のさらなる薄型化を容易に実現することができる。また、金属フック部材４１が表示パネル１から幅方向及び高さ方向に突出する寸法も板厚程度であるから、表示装置４０を十分に小型化できる。
また、従来用いていた金属シャーシ等に比べて、本実施形態の構成によれば、製造費用を削減できる。
【００４７】
尚、本発明は前述の実施形態に限定されるものではなく、本発明の趣旨を逸脱しない範囲において種々の変更を加えることが可能である。
【００４８】
例えば、前述の実施形態では、金属ケーブル６が一対設けられているとしたが、金属ケーブル６の数はこれに限定されるものではなく、単一又は３つ以上であっても構わない。
【００４９】
また、金属ケーブル６は、支持部材５から延び、その一端が表示パネル１に連結されていればよく、前述の実施形態のように、支持部材５から斜め上方に向けて延びていなくても構わない。また、金属ケーブル６と表示パネル１との連結部位は、前述の実施形態で説明した部位に限定されない。
【００５０】
また、支持部材５、第１、第２ネジ部材７、２３及び金属フック部材４１の形状は、本発明の趣旨を逸脱しない範囲において適宜変更可能であり、前述の実施形態で説明したものに限定されない。
【符号の説明】
【００５１】
１…表示パネル
２…スタンド
５…支持部材
６…金属ケーブル
７…第１ネジ部材
８…穴部
９…周面
１０…表示装置
２３…第２ネジ部材
２９…カバー部材
４１…金属フック部材
【図１】
2012140773.tif 000003
【図２】
2012140773.tif 000004
【図３】
2012140773.tif 000005
【図４】
2012140773.tif 000006
【図５】
2012140773.tif 000007
【図６】
2012140773.tif 000008
【図７】
2012140773.tif 000009
【図８】
2012140773.tif 000010
【図９】
2012140773.tif 000011
【図１０】
2012140773.tif 000012
【図１１】
2012140773.tif 000013
【図１２】
2012140773.tif 000014
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
表示パネルと、スタンドと、を有する表示装置であって、
前記スタンドに設けられ、前記表示パネルを少なくとも下方から支持する金属製の支持部材と、
前記支持部材から延び、その一端が前記表示パネルに連結される金属ケーブルと、
前記金属ケーブルの他端が挿入される穴部を有し、周面に該金属ケーブルを巻き回すように形成され、前記支持部材に螺着される第１ネジ部材と、を有することを特徴とする表示装置。
【請求項２】
前記金属ケーブルの一端は、第２ネジ部材を介して前記表示パネルに連結されることを特徴とする請求項１に記載の表示装置。
【請求項３】
前記金属ケーブルの一端は、金属フック部材を介して前記表示パネルに連結されることを特徴とする請求項１に記載の表示装置。
【請求項４】
前記金属ケーブルは、前記表示パネルを厚さ方向から挟むように装着されるカバー部材内に収容されることを特徴とする請求項１〜３のいずれか一項に記載の表示装置。
【請求項５】
表示パネルと、スタンドと、を有する表示装置の、前記表示パネルを前記スタンドに固定する方法であって、
前記スタンドに、前記表示パネルを少なくとも下方から支持する金属製の支持部材を設け、
前記支持部材から延びる金属ケーブルの一端を、前記表示パネルに連結し、
前記金属ケーブルの他端を、第１ネジ部材の穴部に挿入し、前記第１ネジ部材の周面に前記金属ケーブルを巻き回しつつ、前記第１ネジ部材を前記支持部材に螺着することを特徴とする表示装置の表示パネルをスタンドに固定する方法。
【手続補正３】
【補正対象書類名】明細書
【補正対象項目名】０００１
【補正方法】変更
【補正の内容】
【０００１】
本発明は、ＬＣＤ等を用いた表示装置、及び表示装置の表示パネルをスタンドに固定する方法に関するものである。
【手続補正４】
【補正対象書類名】明細書
【補正対象項目名】０００５
【補正方法】変更
【補正の内容】
【０００５】
本発明は、このような事情に鑑みてなされたものであって、表示パネルをスタンドに安定して支持させつつ、さらなる薄型化が可能であり、かつ、製造費用を削減できる表示装置、及び表示装置の表示パネルをスタンドに固定する方法を提供することを目的としている。
【手続補正５】
【補正対象書類名】明細書
【補正対象項目名】０００６
【補正方法】変更
【補正の内容】
【０００６】
上記目的を達成するために、本発明は以下の手段を提案している。
本発明は、表示パネルと、スタンドと、を有する表示装置であって、前記スタンドに設けられ、前記表示パネルを少なくとも下方から支持する金属製の支持部材と、前記支持部材から延び、その一端が前記表示パネルに連結される金属ケーブルと、前記金属ケーブルの他端が挿入される穴部を有し、周面に該金属ケーブルを巻き回すように形成され、前記支持部材に螺着される第１ネジ部材と、を有することを特徴とする。
また本発明は、表示パネルと、スタンドと、を有する表示装置の、前記表示パネルを前記スタンドに固定する方法であって、前記スタンドに、前記表示パネルを少なくとも下方から支持する金属製の支持部材を設け、前記支持部材から延びる金属ケーブルの一端を、前記表示パネルに連結し、前記金属ケーブルの他端を、第１ネジ部材の穴部に挿入し、前記第１ネジ部材の周面に前記金属ケーブルを巻き回しつつ、前記第１ネジ部材を前記支持部材に螺着することを特徴とする。
【手続補正６】
【補正対象書類名】明細書
【補正対象項目名】０００７
【補正方法】変更
【補正の内容】
【０００７】
本発明の表示装置、及び表示装置の表示パネルをスタンドに固定する方法によれば、表示パネルをスタンドに安定して支持させつつ、さらなる薄型化が可能であり、かつ、製造費用を削減できる。
【国際調査報告】
2012140773.tif 000015
2012140773.tif 000016
2012140773.tif 000017
2012140773.tif 000018